(57)【要約】      （修正有）【課題】フェンス体のロスを抑えることができるフェンスを提供する。【解決手段】傾斜地１０に所定の間隔で鉛直方向に沿って立設された複数の支柱２と、これら支柱に固定される矩形状の複数のフェンス体３とからなる。フェンス体は、縦線材と横線材とを格子状に溶接した溶接金網であり、地面に沿って配置する。一番側端の網目同士が互いに重なるように隣接する２つの溶接金網の側端部を互いに重ね、これら２つの溶接金網が重なった縦方向に延びる複数の網目にワイヤーを交互に通してこのワイヤーの端部を溶接金網に固定金具を用いて固定する。【選択図】図１
0003197875.tif 000002
【実用新案登録請求の範囲】
【請求項１】
傾斜地に所定の間隔で鉛直方向に沿って立設された複数の支柱と、これら支柱に固定される矩形状の複数のフェンス体とからなるフェンスであって、
前記フェンス体を前記傾斜地に沿って配置するとともに、隣接する２つのフェンス体の側端部を互いに連結し、当該連結したフェンス体の連結部を前記支柱に固定したことを特徴とするフェンス。
【請求項２】
前記フェンス体は、縦線材と横線材とを格子状に溶接した溶接金網であり、
一番側端部の網目同士が互いに重なるように隣接する２つの溶接金網の側端部を互いに重ね、これら２つの溶接金網が重なった縦方向に延びる複数の網目にワイヤーを交互に通してこのワイヤーの端部を溶接金網に固定金具を用いて固定する請求項１に記載のフェンス。
【請求項３】
前記固定金具は、ワイヤクリップである請求項２に記載のフェンス。
【請求項４】
前記固定金具は、前記ワイヤーの両端部にそれぞれ取り付けられ、これら固定金具の一方が、互いに重ねられる一方のフェンス体の側端部の一番端の縦線材に取り付けられ、他方の固定金具が、他方のフェンス体の側端部の一番端の縦線材に取り付けられている請求項２又は３に記載のフェンス。
【考案の詳細な説明】
【技術分野】
【０００１】
本考案は、高速道路や敷地内等への動物の侵入防止のために設置されるフェンスに関するものである。
【背景技術】
【０００２】
例えば、高速道路や敷地内への動物の侵入防止のためにフェンスが設置されている。フェンスは、地面に所定の間隔で鉛直方向に沿って立設された複数の支柱と、これら支柱に両端部が取り付けられた複数のフェンス体である溶接金網とから形成されている（例えば、特許文献１参照。）。溶接金網は、網目が縦横方向になるように複数本の縦線材と複数本の横線材が互いにクロスして全体形状が長方形状に形成されている。溶接金網は、例えば、２本の支柱間を覆うようにこの２本の支柱に両側端部がそれぞれ金具を介して固定される。
【０００３】
ところで、フェンスを設置する場所は、平坦な所ばかりではなく傾斜したところもある。特に高速道路の近くや山間地等では傾斜している場所が多い。傾斜地では、傾斜地と溶接金網との間に隙間ができないように溶接金網を傾斜地の傾斜に沿って傾斜させた状態で支柱に固定している。支柱は、鉛直方向に沿って立設されているために、長方形状の溶接金網で支柱間を覆うには、溶接金網の側端部又は側端部の一部が隣接する支柱間に出っ張るので、溶接金網の側端部は、隣接する溶接金網と重なった状態になる。このように溶接金網が重なると、溶接金網にロスが生じる。
【先行技術文献】
【特許文献】
【０００４】
【特許文献１】特開２０００−２７４１１９号公報
【考案の概要】
【考案が解決しようとする課題】
【０００５】
本考案が解決しようとする課題は、フェンス体のロスを抑えることができるフェンスを提供することにある。
【課題を解決するための手段】
【０００６】
前記課題を解決するため本考案に係るフェンスは、傾斜地に所定の間隔で鉛直方向に沿って立設された複数の支柱と、これら支柱に固定される矩形状の複数のフェンス体とからなるフェンスであって、前記フェンス体を前記傾斜地に沿って配置するとともに、隣接する２つのフェンス体の側端部を互いに連結し、当該連結したフェンス体の連結部を前記支柱に固定したことを特徴とする。
【０００７】
このように、隣接する２つのフェンス体の側端部を互いに連結したことで、フェンス体が重なる部分が少なくなるので、フェンス体のロスを抑えられる。
【０００８】
この場合において、フェンス体が、縦線材と横線材とを格子状に溶接した溶接金網であり、一番側端部の網目同士が互いに重なるように隣接する２つの溶接金網の側端部を互いに重ね、これら２つの溶接金網が重なった縦方向に延びる複数の網目にワイヤーを交互に通してこのワイヤーの端部を溶接金網に固定金具を用いて固定するように構成してもよい。また、固定金具が、ワイヤクリップであることが好ましい。さらに、固定金具を、ワイヤーの両端部にそれぞれ取り付け、これら固定金具の一方を、互いに重ねられる一方のフェンス体の側端部の一番端の縦線材に取り付け、他方の固定金具を、他方のフェンス体の側端部の一番端の縦線材に取り付けることができる。
【考案の効果】
【０００９】
本考案によれば、フェンス体のロスを抑えることができる
【図面の簡単な説明】
【００１０】
【図１】本考案に係る一例の実施形態のフェンスを示す正面図である。
【図２】本実施形態のフェンスに用いられる溶接金網の側端部を連結した状態を示す斜視図である。
【考案を実施するための形態】
【００１１】
以下、本考案に係るフェンスの一実施形態を添付図面に基づいて説明する。図１に示すように、本考案に係るフェンス１は、例えば、高速道路や敷地内への動物の侵入防止のために高速道路の近くや山間地等の傾斜地に設置されるものである。
【００１２】
本考案に係るフェンス１は、傾斜地に所定の間隔で鉛直方向に沿って立設される複数の支柱２と、これら支柱２に固定される複数のフェンス体とからなる。
支柱２は、フェンスに用いられるものとして周知のもの等を用いることができる。支柱２は、例えば、地面に打設された支柱基礎２１に下端部が固定されて鉛直方向に沿って立設されている。支柱基礎２１は、傾斜地１０であっても支柱２を鉛直方向に沿って立設するように構築される。支柱２は、所定の間隔をあけて複数配設されている。
【００１３】
フェンス体は、高速道路や敷地内への動物の侵入防止のために用いられている周知のもの、例えば、溶接金網３等が用いられる。溶接金網３としては、例えば、網目が縦横方向になるように複数本の縦線材３ａと複数本の横線材３ｂが互いにクロスして全体形状が矩形状（長方形状又は正方形状）の溶接金網３等が用いられる。溶接金網３は、網目の形状や大きさ、構造等は、高速道路や敷地内への動物の侵入防止のために用いられているものであれば特に限定されず、例えば、横線材３ｂを一定間隔で配置し、縦線材３ａを両側部の間隔が狭くなるように配置して溶接金網３を形成してもよいし、縦線材３ａを一定間隔で配置し、横線材３ｂを下側の間隔が狭く、上側の間隔が広くなるように配置して溶接金網３を形成してもよい。溶接金網３は、従来と同様に支柱２に取付金具によって固定される。
【００１４】
取付金具は、フェンスに用いられるものとして周知のもの、例えば、フック金具等を用いることができる。フック金具は、例えば、Ｕ字状に湾曲したフック本体の先端側にネジ部を設けてナットを用いて、溶接金網３を支柱２に固定するもの等が用いられる。取付金具によって溶接金網３を支柱２に固定する際、溶接金網３は、設置する傾斜地１０に沿わせる。すなわち、溶接金網３を傾斜させた状態で支柱２に固定するようにする。このとき、溶接金網３は、下端部が傾斜地１０に接するか又は近接させて設置することが好ましい。溶接金網３を設置する際、隣接する２つの溶接金網３の側端部を互いに連結して、溶接金網３を連ねるようにする。
【００１５】
溶接金網３の連結は、図１及び図２に示すように、２つの溶接金網３の側端部を互いに連結することができれば特に限定されないが、例えば、一番側端部の網目同士が互いに重なるように隣接する２つの溶接金網３の側端部を互いに重ね、これら２つの溶接金網３が重なった縦方向に延びる複数の網目にワイヤー４等の連結部材を交互に通して連結部材であるワイヤー４の両端部を溶接金網３に固定金具を用いて固定することが好ましい。２つの溶接金網３の側端部の一番端の網目が重なる部分は、網目の略全部であってもよいし、一部であってもよい。
【００１６】
また、溶接金網３を重ねるとき、溶接金網３の向き（縦線材３ａと横線材３ｂの位置）は、同じでも違ってもよい。すなわち、支柱２に取り付ける側を内側としたとき、内側の溶接金網３と外側の溶接金網３は、ともに縦線材３ａを内側にしてもよいし、ともに横線材３ｂを内側にしてもよい。また、内側の溶接金網３の内側に縦線材３ａを配置し、外側の溶接金網３の内側に横線材３ｂを配置してもよいし、内側の溶接金網３の内側に横線材３ｂを配置し、外側の溶接金網３の内側に縦線材３ａを配置してもよい。図示例では、内側の溶接金網３の内側に横線材３ｂを配置し、外側の溶接金網３の内側に縦線材３ａを配置した例である。
【００１７】
連結部材としては、ワイヤー４が好ましいが、これに限定されるものではない。ワイヤー４としては、溶接金網３の連結を行うことができれば、材質や径等は特に限定されない。ワイヤー４は、２つの溶接金網３の側端部が重なった縦方向に延びる複数の網目を交互に通して両端部を溶接金網３の上下端部又はその近傍で固定金具を介して固定するようにしてもよいし、溶接金網３の上下端部から折り返して再び網目を交互に通して任意の箇所で固定金具を介して両端部を固定するようにしてもよい。
【００１８】
固定金具は、ワイヤー４を溶接金網３に固定することができるものであれば特に限定されないが、例えば、ワイヤクリップ５等が用いられる。ワイヤクリップ５は、ワイヤー４を溶接金網３に固定することができればその個数は特に限定されず、１個でも２個以上でもよく、本実施形態では、２個である。また、ワイヤー４の両端部をワイヤクリップ５で固定するが、ワイヤー４の両端部以外のワイヤー４の途中の箇所でもワイヤクリップ５で溶接金網３に固定するようにしてもよい。
【００１９】
ワイヤクリップ５の溶接金網３に固定する箇所は、連結する２つの溶接金網３の側端部の縦線材３ａか横線材３ｂであるが、一番端の縦線材３ａであることが好ましい。２つのワイヤクリップ５の固定箇所は、同じ縦線材３ａであってもよいが、１つが一方の溶接金網３の一番端の縦線材３ａで、残りの１つが他方の溶接金網３の一番端の縦線材３ａであることが好ましい。また、ワイヤー４の端部を溶接金網３に固定せずに溶接金網３の上端又は下端で折り返してワイヤー４同士をワイヤクリップ５で固定するようにしてもよい。
【００２０】
溶接金網３の支柱２に固定する箇所は、溶接金網３の両側端部（その近傍を含む）、すなわち、連結部であることが好ましい。このとき、支柱２に対して溶接金網２の連結部（側端部）が傾斜しているので、図１に示すように、連結部の高さ方向の略中央でクロスように支柱２に固定するようにする。このように、溶接金網３の連結部を支柱２に固定することで、溶接金網３の連結を強固にすることが可能となる。また、このように溶接金網３の連結部を支柱２に固定するとき、これら支柱２の間にさらに支柱２を設置してこの支柱２に溶接金網３を固定するようにしてもよい。
【００２１】
次に、上記のように構成したフェンス１の作用効果を説明する。フェンス１は、傾斜地に所定の間隔で鉛直方向に沿って立設された複数の支柱２に複数の溶接金網３が取付金具によって固定されている。溶接金網３は、傾斜地１０に沿って、すなわち、溶接金網３を傾斜させた状態で設置する。このとき、溶接金網３の下端部が傾斜地１０に接するか又は近接させて設置されるようにする。また、溶接金網３は、両側端部がそれぞれ隣接する溶接金網３の側端部に連結するととに、この連結部を支柱２に固定する。これにより、複数の溶接金網３が連なった状態となり、高速道路や敷地内への動物の侵入防止を図れる。
【００２２】
したがって、本考案に係るフェンス1は、隣接する２つの溶接金網３の側端部を互いに連結したことで、溶接金網３が重なる部分が少なくなるので、溶接金網３のロスを抑えられる。
【００２３】
溶接金網３の連結を、一番側端の網目同士が互いに重なるように隣接する２つの溶接金網３の側端部を互いに重ね、これら２つの溶接金網３が重なった縦方向に延びる複数の網目にワイヤー４を交互に通してワイヤー４の両端部を溶接金網３にワイヤクリップ５を用いて固定することで、溶接作業を行うことなく、高速道路や敷地内への動物の侵入防止を図る上で十分に溶接金網３の連結を行うことができる。また、ワイヤー４の両端部にそれぞれ取り付けたワイヤクリップ５の一方を、一方の溶接金網３の側端部の一番端の縦線材３ａに取り付けるとともに、他方のワイヤクリップ５を、他方の溶接金網３の側端部の一番端の縦線材３ａに取り付けることで、高速道路や敷地内への動物の侵入防止を図る上でより十分に溶接金網３の連結を行うことができる。さらに、固定金具がワイヤクリップ５であると、連結部材であるワイヤー４を容易に確実に溶接金網３に固定することができる。
【符号の説明】
【００２４】
１  フェンス
２  支柱
３  溶接金網（フェンス体）
３ａ  縦線材
３ｂ  横線材
４  ワイヤー（連結部材）
５  ワイヤクリップ（固定部材）
１０  傾斜地
【図１】
0003197875.tif 000003
【図２】
0003197875.tif 000004